(57)【特許請求の範囲】
【請求項１】
複数の固体光源がアレイ状に配置されたアレイ光源を複数備え、複数のアレイ光源が発する光を変調素子により変調し、色合成部により合成する照明装置と、該照明装置から出射された光を投写する投写レンズユニットとを備えた投写型映像表示装置であって、
複数の固体光源が発する光量を検出するセンサと、
前記複数の固体光源が光を発する期間である発光期間を固体光源単位で制御する光源制御部と、
前記センサによって検出された光量から、前記複数の固体光源のいずれか一つである測定対象光源の光量を取得する取得部と、を備え、
前記光源制御部は、前記取得部が前記測定対象光源の光量を取得するように前記発光期間を制御する投写型映像表示装置において、
映像入力信号に基づいて、１フレーム区間に必要な必要光量を算出する算出部をさらに備え、
前記光源制御部は、前記算出部によって算出された前記必要光量に応じて、前記１フレーム区間内における前記測定対象光源のみを発光させる期間と当該期間以外の期間との前記発光期間の比率を制御し、
前記センサは、前記測定対象光源のみを発光させる期間に、前記複数の固体光源のいずれかである前記測定対象光源の光量を検出できるように構成されていることを特徴とする投写型映像表示装置。
【発明の詳細な説明】
【技術分野】
【０００１】
本発明は、複数の固体光源を備えた投写型映像表示装置に関する。
【背景技術】
【０００２】
従来、光源が発する光を変調する光変調素子（液晶パネルなど）を備えた投写型映像表示装置が知られている。投写型映像表示装置は、光変調素子によって変調された光をスクリーン上に投写する。また、投写型映像表示装置に設けられた光源として、レーザダイオードやＬＥＤなどの固体光源を採用することが試みられている。
【０００３】
ここで、固体光源単体では、投写型映像表示装置に必要とされる光量の確保が難しい。従って、一般的に、投写型映像表示装置では、複数の固体光源が配置されている。
【０００４】
一方で、固体光源の環境温度の変化によって固体光源が劣化する場合がある。また、固体光源の経時劣化が生じることもある。このような固体光源の劣化によって、複数の固体光源が発する総光量が所望光量とならない場合がある。従って、各固体光源の劣化を検出する必要がある。
【０００５】
従来においては、光源の状態を検出するセンサを備えた投写型映像表示装置が提案されている。この投写型映像表示装置において、複数の光源が設けられている場合には、複数の光源のそれぞれに対応する複数のセンサが設けられることも開示されている（例えば、特許文献１）。
【特許文献１】特開平９−２００６６２号公報（例えば、請求項１、請求項２など）
【発明の開示】
【発明が解決しようとする課題】
【０００６】
上述した投写型映像表示装置では、複数の光源のそれぞれに対応する複数のセンサが設けられている。従って、光源の数の増加に伴って、センサの数も増加するため、投写型映像表示装置のコストが上昇する。また、センサの数の増加に伴って、各センサの制御が煩雑になってしまう。
【０００７】
また、投写型映像表示装置では、複数の固体光源が配置されているため、複数の固体光源のそれぞれに対応する複数のセンサを設けたとしても、各固体光源が発する光のみを検出することが困難である。
【０００８】
そこで、本発明は、上述した課題を解決するためになされたものであり、複数の固体光源が配置されている場合であっても、各固体光源が発する光量を検出することを可能とする投写型映像表示装置を提供することを目的とする。
【課題を解決するための手段】
【０００９】
一の特徴では、複数の固体光源がアレイ状に配置されたアレイ光源を複数備え、複数のアレイ光源が発する光を変調素子により変調し、色合成部により合成する照明装置と、該照明装置から出射された光を投写する投写レンズユニットとを備えた投写型映像表示装置であって、前記複数の固体光源が発する光量を検出するセンサと、前記複数の固体光源が光を発する期間である発光期間を固体光源単位で制御する光源制御部と、前記センサによって検出された光量から、前記複数の固体光源のいずれか一つである測定対象光源の光量を取得する取得部と、を備え、前記光源制御部は、前記取得部が前記測定対象光源の光量を取得するように前記発光期間を制御する投写型映像表示装置において、映像入力信号に基づいて、１フレーム区間に必要な必要光量を算出する算出部をさらに備え、前記光源制御部は、前記算出部によって算出された前記必要光量に応じて、前記１フレーム区間内における前記測定対象光源のみを発光させる期間と当該期間以外の期間との前記発光期間の比率を制御し、前記センサは、前記測定対象光源のみを発光させる期間に、前記複数の固体光源のいずれかである前記測定対象光源の光量を検出できるように構成されている。
【発明の効果】
【００２０】
本発明によれば、複数の固体光源が配置されている場合であっても、各固体光源が発する光量を検出することを可能とする照明装置及び投写型映像表示装置を提供することができる。
【発明を実施するための最良の形態】
【００２１】
以下において、本発明の実施形態に係る投写型映像表示装置について、図面を参照しながら説明する。なお、以下の図面の記載において、同一又は類似の部分には、同一又は類似の符号を付している。
【００２２】
ただし、図面は模式的なものであり、各寸法の比率などは現実のものとは異なることに留意すべきである。従って、具体的な寸法などは以下の説明を参酌して判断すべきである。  
［第１実施形態］
（投写型映像表示装置の構成）
以下において、第１実施形態に係る投写型映像表示装置の構成について、図面を参照しながら説明する。図１は、第１実施形態に係る投写型映像表示装置１００の構成を示す概略図である。
【００２３】
図１に示すように、投写型映像表示装置１００は、複数の固体光源１１（固体光源１１Ｒ、固体光源１１Ｇ及び固定光源１１Ｂ）がアレイ状に配置された複数のアレイ光源１０（アレイ光源１０Ｒ、アレイ光源１０Ｇ及びアレイ光源１０Ｂ）と、複数の光変調素子３０（光変調素子３０Ｒ、光変調素子３０Ｇ及び光変調素子３０Ｂ）と、クロスダイクロイックプリズム５０と、光量センサ７０が設けられた投写レンズユニット９０とを有する。
【００２４】
なお、図１では、説明を明確にするために、アレイ光源１０が発する光を均一化する光学素子（例えば、テーパロッドやフライアイレンズ）などが省略されていることに留意すべきである。
【００２５】
また、アレイ光源１０、光変調素子３０、クロスダイクロイックプリズム５０及び光量センサ７０は照明装置を構成する。
【００２６】
アレイ光源１０Ｒでは、赤色成分光を発する複数の固体光源１１Ｒがアレイ状に配置されている。固体光源１１Ｒは、赤色のＬＥＤやＬＤなどの固体光源である。
【００２７】
同様に、アレイ光源１０Ｇでは、緑色成分光を発する複数の固体光源１１Ｇがアレイ状に配置されている。固体光源１１Ｇは、緑色のＬＥＤやＬＤなどの固体光源である。また、アレイ光源１０Ｂでは、青色成分光を発する複数の固定光源１１Ｂがアレイ状に配置されている。固定光源１１Ｂは、青色のＬＥＤやＬＤなどの固体光源である。
【００２８】
なお、アレイ光源１０における固体光源１１の配置形状は、四角形状に限定されるものではない。例えば、アレイ光源１０における固体光源１１の配置形状は、Ｘ形状、十字形状、円形状であってもよく、他の形状であってもよい。
【００２９】
光変調素子３０Ｒは、アレイ光源１０Ｒが発する赤色成分光を変調する光学素子（例えば、透過型液晶パネル）である。
【００３０】
同様に、光変調素子３０Ｇは、アレイ光源１０Ｇが発する緑色成分光を変調する光学素子（例えば、透過型液晶パネル）である。また、光変調素子３０Ｂは、アレイ光源１０Ｂが発する青色成分光を変調する光学素子（例えば、透過型液晶パネル）である。
【００３１】
なお、光変調素子３０は、透過型液晶パネルに限定されるものではない。例えば、光変調素子３０は、反射型液晶パネルであってもよく、ＤＭＤ（Ｄｉｇｉｔａｌ  Ｍｉｃｒｏｍｉｒｒｏｒ  Ｄｅｖｉｃｅ）であってもよい。
【００３２】
クロスダイクロイックプリズム５０は、光変調素子３０Ｒ、光変調素子３０Ｇ及び光変調素子３０Ｂから出射された各色成分光を合成する色合成部である。具体的には、クロスダイクロイックプリズム５０は、光変調素子３０Ｒから出射された赤色成分を反射して、光変調素子３０Ｇから出射された緑成分光を透過するダイクロイック膜５１と、光変調素子３０Ｂから出射された青色成分を反射して、光変調素子３０Ｇから出射された緑成分光を透過するダイクロイック膜５２とを有する。
【００３３】
なお、クロスダイクロイックプリズム５０で合成された合成光は、光量センサ７０が設けられた投写レンズユニット９０に導かれる。
【００３４】
光量センサ７０は、クロスダイクロイックプリズム５０で合成された合成光の光路上に設けられている。光量センサ７０は、クロスダイクロイックプリズム５０で合成された合成光の光量を検出する。光量センサ７０の配置位置は、クロスダイクロイックプリズム５０で合成された合成光を検出可能な位置であればよい。
【００３５】
なお、光量センサ７０は、クロスダイクロイックプリズム５０で合成された合成光の有効利用範囲外に設けられていることが好ましい。有効利用範囲とは、投写レンズユニット９０によって投写される映像に利用される合成光の範囲である。従って、有効範囲外とは、投写レンズユニット９０によって投写される映像に利用されない部分（いわゆるオーバースキャン部）である。
【００３６】
投写レンズユニット９０は、クロスダイクロイックプリズム５０で合成された合成光をスクリーン（不図示）上に投写する。これによって、スクリーン上には映像が表示される。
（制御ユニットの構成）
以下において、第１実施形態に係る制御ユニットの構成について、図面を参照しながら説明する。図２は、第１実施形態に係る制御ユニット２００の構成を示すブロック図である。
【００３７】
図２に示すように、制御ユニット２００は、映像信号入力部２１０と、変調量制御部２２０と、対応関係記憶部２３０と、光源制御部２４０と、劣化率算出部２５０とを有する。
【００３８】
映像信号入力部２１０は、赤入力信号Ｒ、緑入力信号Ｇ及び青入力信号Ｂを含む映像入力信号を外部機器（例えば、パーソナルコンピュータ、ＤＶＤ再生装置、ＴＶチューナなど）から取得する。映像信号入力部２１０は、映像入力信号を変調量制御部２２０及び光源制御部２４０に入力する。
【００３９】
変調量制御部２２０は、映像信号入力部２１０から取得した映像入力信号に応じて、各光変調素子３０（光変調素子３０Ｒ、光変調素子３０Ｇ及び光変調素子３０Ｂ）を制御する。
【００４０】
対応関係記憶部２３０は、図３に示すように、固体光源１１に供給される電力と固体光源１１が発する光量との対応関係を固体光源１１毎に記憶する。対応関係の初期値は、固体光源１１に劣化などが生じていない初期段階において測定された値、固体光源１１に定められた定格値などである。
【００４１】
光源制御部２４０は、複数の固体光源１１が光を発する期間である発光期間を固体光源１１単位で制御する。具体的には、光源制御部２４０は、後述する劣化率算出部２５０が複数の固体光源１１のいずれかである測定対象光源の光量を取得するように発光期間を制御する。
【００４２】
ここで、光源制御部２４０は、１フレーム区間に対応する映像入力信号に基づいて、１フレーム区間に必要な必要光量を算出する。続いて、光源制御部２４０は、複数の固体光源１１が発する総光量が必要光量となるように、各固体光源１１の発光期間を制御する。
【００４３】
なお、図３では、固体光源１１の一例として、光源Ｎｏ．１の固体光源１１と光源Ｎｏ．２の固体光源１１とを挙げている。
【００４４】
光源Ｎｏ．２の固体光源１１に係る対応関係を示す曲線Ｌ２が、光源Ｎｏ．１の固体光源１１に係る対応関係を示す曲線Ｌ１と異なる理由は、光源Ｎｏ．２の固体光源１１の経時劣化が進んだ結果などである。
【００４５】
ここで、光源Ｎｏ．１の固体光源１１及び光源Ｎｏ．２の固体光源１１の発光効率について考える。発光効率は、電力の増大幅に対する光量の増大幅である。すなわち、電力の増大幅に対する光量の増大幅が大きいほど発光効率が高い。一方で、発光効率については、電力の減少幅に対する光量の減少幅と考えてもよい。すなわち、電力の減少幅に対する光量の減少幅が小さいほど発光効率が低い。
【００４６】
電力が同じであると仮定した場合には、光源Ｎｏ．１の固体光源１１の発光効率は、基本的に、光源Ｎｏ．２の固体光源１１の発光効率よりも高い。光源Ｎｏ．１の固体光源１１及び光源Ｎｏ．２の固体光源１１の発光効率は、電力が最大定格に近づくにつれて減少する。
【００４７】
一方で、光源Ｎｏ．１の固体光源１１に供給されている電力がｘ２であり、光源Ｎｏ．２の固体光源１１に供給されている電力がｘ４であるケースについて考える。光源Ｎｏ．１の固体光源１１が発する光量はｙ２であり、光源Ｎｏ．２の固体光源１１が発する光量はｙ４である。
【００４８】
光量をΔＹ１（ｙ１−ｙ２）だけ増大させる場合には、光源Ｎｏ．１の固体光源１１に供給される電力をΔＸ１（ｘ１−ｘ２）だけ増大させる必要がある。同様に、光量をΔＹ２（ｙ３−ｙ４）だけ増大させる場合には、光源Ｎｏ．２の固体光源１１に供給される電力をΔＸ２（ｘ３−ｘ４）だけ増大させる必要がある。なお、ΔＹ１はΔＹ２と同じであり、ΔＸ１はΔＸ２よりも大きい。すなわち、光源Ｎｏ．２の固体光源１１の発光効率は、光源Ｎｏ．１の固体光源１１の発光効率よりも高い。
【００４９】
このように、固体光源１１の発光効率は、固体光源１１に現在供給されている電力によって変動することに留意すべきである。
【００５０】
なお、光源Ｎｏ．１の固体光源１１に供給されている電力がｘ２であり、光源Ｎｏ．２の固体光源１１に供給されている電力がｘ４であるケースにおいて、ΔＹ（＝ΔＹ１＝ΔＹ２）だけ光量を増大させる場合には、発光効率が高い光源Ｎｏ．２の固体光源１１に供給される電力を増大させる方が有効である。すなわち、複数の固体光源１１の消費電力の増大を抑制することができる。
【００５１】
一方で、光源Ｎｏ．１の固体光源１１に供給されている電力がｘ１であり、光源Ｎｏ．２の固体光源１１に供給されている電力がｘ３であるケースにおいて、ΔＹ（＝ΔＹ１＝ΔＹ２）だけ光量を減少させる場合には、発光効率が低い光源Ｎｏ．１の固体光源１１に供給される電力を減少させる方が有効である。すなわち、複数の固体光源１１の消費電力の増大を抑制することができる。
【００５２】
発光期間の制御方法としては、例えば、以下に示すような光源制御例が考えられる。
（光源制御例１）
光源制御例１では、複数の固体光源１１のいずれかである測定対象光源のみが光を発する期間が１フレーム区間内に設けられる。具体的には、光源制御部２４０は、測定対象光源のみを発光させる期間では、他の固体光源１１を発光させない。
【００５３】
光源制御例１では、光源制御部２４０は、固体光源１１が光を発する期間（発光期間）と固体光源１１が光を発しない期間（非発光期間）との比率（Ｄｕｔｙ）を制御する。具体的には、光源制御部２４０は、１フレーム区間（所定期間）内において比率（Ｄｕｔｙ）を制御する。
【００５４】
例えば、図４に示すように、フレーム＃１では、光源Ｎｏ．１の固体光源１１（すなわち、測定対象光源）が光を発する期間（発光期間）では、光源Ｎｏ．２〜光源Ｎｏ．Ｎの固体光源１１が光を発してない。
【００５５】
同様に、フレーム＃２では、光源Ｎｏ．２の固体光源１１（すなわち、測定対象光源）が光を発する期間（発光期間）では、光源Ｎｏ．１、光源Ｎｏ．３〜光源Ｎｏ．Ｎの固体光源１１が光を発してない。なお、フレーム＃３以降も同様である。
【００５６】
これによって、光量センサ７０が光を検出する期間（検出期間）では、測定対象光源が発する光量のみが検出される。
【００５７】
ここで、光源制御例１では、測定対象光源の発光期間の位相をシフトしているだけであるため、１フレーム区間における光量が所望光量となるように、複数固体光源１１が発する光量を維持しやすい。
（光源制御例２）
光源制御例２では、光源制御例１と同様に、複数の固体光源１１のいずれかである測定対象光源のみが光を発する期間が１フレーム区間内に設けられる。光源制御部２４０は、１フレーム区間（所定期間）内において比率（Ｄｕｔｙ）を制御する。
【００５８】
但し、光源制御例２では、光源制御例１よりも必要光量が大きいケースを想定している。従って、測定対象光源の発光期間は、光源制御例１よりも長く、１フレーム区間に亘っている。すなわち、他の固体光源１１の発光期間においても、測定対象光源が光を発している。
【００５９】
例えば、図５に示すように、フレーム＃１では、光源Ｎｏ．１の固体光源１１（すなわち、測定対象光源）が光を発する期間（発光期間）では、光源Ｎｏ．２〜光源Ｎｏ．Ｎの固体光源１１が光を発してない。但し、光源Ｎｏ．１の固体光源１１は、１フレーム区間に亘って光を発する。
【００６０】
同様に、フレーム＃２では、光源Ｎｏ．２の固体光源１１（すなわち、測定対象光源）が光を発する期間（発光期間）では、光源Ｎｏ．１、光源Ｎｏ．３〜光源Ｎｏ．Ｎの固体光源１１が光を発してない。但し、光源Ｎｏ．２の固体光源１１は、１フレーム区間に亘って光を発する。
【００６１】
これによって、光量センサ７０が光を検出する期間（検出期間）では、測定対象光源が発する光量のみが検出される。
（光源制御例３）
光源制御例３では、光源制御例１と同様に、複数の固体光源１１のいずれかである測定対象光源のみが光を発する期間が１フレーム区間内に設けられる。光源制御部２４０は、１フレーム区間（所定期間）内において比率（Ｄｕｔｙ）を制御する。
【００６２】
但し、光源制御例３では、特定のフレーム区間において必要光量が非常に大きいケースを想定している。従って、特定のフレーム区間では、光量センサ７０による光量検出がスキップされる。
【００６３】
例えば、図６に示すように、フレーム＃１では、光源Ｎｏ．１の固体光源１１（すなわち、測定対象光源）が光を発する期間（発光期間）では、光源Ｎｏ．２〜光源Ｎｏ．Ｎの固体光源１１が光を発してない。
【００６４】
一方で、フレーム＃２（すなわち、特定のフレーム区間）では、映像入力信号に基づいて算出された必要光量が非常に大きいため、全ての固体光源１１の発光期間を１フレーム区間に亘っている。従って、フレーム＃２では、光量センサ７０による光量検出がスキップされる。
【００６５】
フレーム＃３では、光源Ｎｏ．２の固体光源１１（すなわち、測定対象光源）が光を発する期間（発光期間）では、光源Ｎｏ．１、光源Ｎｏ．３〜光源Ｎｏ．Ｎの固体光源１１が光を発してない。
【００６６】
このように、光量センサ７０による光量検出をスキップした後に、次の測定対象光源が発する光量が検出されるため、全ての固体光源１１が発する光量が順に検出される。
（光源制御例４）
光源制御例４では、光源制御例１と同様に、光源制御部２４０は、１フレーム区間（所定期間）内において比率（Ｄｕｔｙ）を制御する。
【００６７】
但し、光源制御例４では、光源制御例１よりも必要光量が大きいケースを想定している。従って、測定対象光源の発光期間は、光源制御例１よりも長く、１フレーム区間に亘っている。また、特定のフレーム区間では、少なくとも２つ以上の固体光源１１が１フレーム区間に亘って光を発する。
【００６８】
例えば、図７に示すように、フレーム＃１では、光源Ｎｏ．１の固体光源１１（すなわち、測定対象光源）が光を発する期間（発光期間）では、光源Ｎｏ．２〜光源Ｎｏ．Ｎの固体光源１１が光を発してない。但し、光源Ｎｏ．１の固体光源１１は、１フレーム区間に亘って光を発する。
【００６９】
フレーム＃２では、光源Ｎｏ．１及びＮｏ．２の固体光源１１が光を発する期間（発光期間）では、光源Ｎｏ．３〜光源Ｎｏ．Ｎの固体光源１１が光を発してない。但し、光源Ｎｏ．１及び光源Ｎｏ．２の固体光源１１は、１フレーム区間に亘って光を発する。
【００７０】
ここで、フレーム＃１において、光源Ｎｏ．１の固体光源１１が発する光量が既に検出されている。従って、フレーム＃２で測定された光量とフレーム＃１で測定された光量との差分は、光源Ｎｏ．２の固体光源１１が発する光量である。すなわち、フレーム＃２では、光源Ｎｏ．２の固体光源１１が測定対象光源である。
【００７１】
このように、光量センサ７０によって検出された光量と、既に検出済みの固体光源１１が発する光量との差分によって、測定対象光源が発する光量のみを取得可能である。
【００７２】
なお、図７では、フレーム＃３において、光源Ｎｏ．２及び光源Ｎｏ．３の固体光源１１が１フレーム区間に亘って光を発しているが、これに限定されるものではない。具体的には、光源Ｎｏ．１及び光源Ｎｏ．２の固体光源１１が発する光量が既に検出されているため、光源Ｎｏ．１〜光源Ｎｏ．３の固体光源１１が１フレーム区間に亘って光を発してもよい。
（光源制御例５）
光源制御例５では、光源制御例１と同様に、光源制御部２４０は、１フレーム区間（所定期間）内において比率（Ｄｕｔｙ）を制御する。
【００７３】
但し、光源制御例５では、光量センサ７０の検出精度が光源制御例１よりも悪いケースを想定している。具体的には、光源制御例５では、光源制御例１よりも検出期間が長い。従って、測定対象光源のみが光を発している期間（発光期間）よりも検出期間が長い。
【００７４】
例えば、図８に示すように、フレーム＃１では、光量センサ７０は、測定対象光源が発する光量を検出する上でノイズとなる光量（以下、ノイズ光量）を検出する。
【００７５】
フレーム＃２において、光源Ｎｏ．１の固体光源１１（すなわち、測定対象光源）が光を発する期間（発光期間）では、光源Ｎｏ．２〜光源Ｎｏ．Ｎの固体光源１１が光を発してない。但し、光源Ｎｏ．１の固体光源１１は、１フレーム区間に亘って光を発する。
【００７６】
ここで、フレーム＃１において、ノイズ光量が既に検出されている。従って、フレーム＃２で測定された光量とフレーム＃１で測定された光量との差分は、光源Ｎｏ．１の固体光源１１が発する光量である。
【００７７】
このように、光量センサ７０によって検出された光量とノイズ光量との差分によって、測定対象光源が発する光量のみを取得可能である。
（光源制御例６）
光源制御例６では、光源制御例１と同様に、複数の固体光源１１のいずれかである測定対象光源のみが光を発する期間が１フレーム区間内に設けられる。
【００７８】
但し、光源制御例６では、光源制御部２４０は、複数の固体光源１１が発する光量を制御する制御信号を、複数の固体光源１１のそれぞれに所定周期（制御周期）で出力する（パワー制御）。なお、制御周期は、１フレーム区間に比べて十分に小さい周期であることが好ましい。また、制御信号によって制御される光量は、時間軸方向の概念を含んでおらず、各固体光源の出力（パワー）であることに留意すべきである。
【００７９】
例えば、図９に示すように、フレーム＃１では、光源Ｎｏ．１の固体光源１１（すなわち、測定対象光源）が光を発する期間（発光期間）では、発光を指示する制御信号（ＯＮ信号）が光源Ｎｏ．１の固体光源１１に出力される。一方で、この期間においては、非発光を指示する制御信号（ＯＦＦ信号）が光源Ｎｏ．２〜光源Ｎｏ．Ｎの固体光源１１に出力される。
【００８０】
光源制御例６に示すパワー制御では、各固体光源の出力（パワー）が制御されるため、光源制御例５に示すように、光量センサ７０の検出期間が長く、必要光量が大きい場合であっても、測定対象光源の発光期間と他の固体光源１１の発光期間とを重複させずに、複数の固体光源１１が発する総光量を維持することができる。
（光源制御例７）
上述した光源制御例１〜光源制御例６では、光源制御部２４０は、１フレーム区間（所定区間）内において比率（Ｄｕｔｙ）を制御し、複数の固体光源１１のいずれかである測定対象光源の光量を検出した。従って、固体光源の温度すなわち制御温度によって固体光源の光量が大きく依存する場合、正確な光量を検出することが困難である。
【００８１】
図１０は、温度による光量の変化が大きい固体光源１１ａの制御温度に対する光量の変化を示した図である。固体光源１１ａは、その光量が制御温度に大きく依存するため、冷却手段によって冷却され、所定の制御温度に保たれるものとする。
【００８２】
一般的に、冷却手段の時定数は非常に大きい。従って、図１０に示すように、固体光源１１ａの発光期間と非発光期間との切替に対して、制御温度が変化すると、元の制御温度へ復帰するために暫く時間を要する。
【００８３】
具体的には、発光期間から非発光期間へ切替わるときは、固体光源１１ａが光量の変化も瞬間的に行われる。一方、制御温度は、固体光源１１ａから熱が発生しなくなるので、低下した後、元の制御温度へ復帰する。非発光期間から発光期間へ切替わるときは、固体光源１１ａに電力が供給されるので、制御温度が上昇する。温度依存性が高い固体光源１１ａは、制御温度が高いと十分な光量を出力することができない。また、冷却手段は、元の制御温度へ冷却するために暫く時間を要する。従って、非発光期間から発光期間へ切替わるときの温度安定期間は、光量が安定しないため、正確な光量を検出することが困難となる。
【００８４】
そこで、光源制御例７では、温度依存性の高い固体光源１１ａを複数個使用する事を前提として、複数の固体光源１１ａのいずれかである測定対象光源が非発光となるときの光量の変化から測定対象光源の光量を測定する。すなわち、複数の固体光源１１ａのいずれかである測定対象光源のみが非発光となるタイミングが設けられている。
【００８５】
また、光源制御例７では、明るい映像（白100%映像）を表示するとき、複数の固体光源１１ａ全てを発光しなくてもよい場合を想定している。光源制御部２４０は、固体光源１１ａの温度安定期間を考慮して、光源制御例１〜光源制御例６のようにブランク期間に固体光源１１ａ全てを非発光とはしない。
【００８６】
図１１に光源制御例７に係る制御方法を示す。フレーム＃１では、光源Ｎｏ．１の固体光源１１ａ（すなわち、測定対象光源）を測定する。光源Ｎｏ．１が光を発しない期間（非発光期間）では、光源Ｎｏ．２〜光源Ｎｏ．Ｎの固体光源１１が光を発している。但し、フレーム＃１の一つ前のフレームでは、光源Ｎｏ．１〜光源Ｎｏ．Ｎの固定光源１１が光を発しているものとする。
【００８７】
同様に、フレーム＃２では、光源Ｎｏ．２の固体光源１１ａ（すなわち、測定対象光源）を測定する。光源Ｎｏ．１および光源Ｎｏ．２が光を発しない期間（非発光期間）では、光源Ｎｏ．３〜光源Ｎｏ．Ｎの固体光源１１が光を発しており、連続して測定対象光源を測定することができる。
【００８８】
光源制御例７では、光源Ｎｏ．３までの測定（フレーム＃３までの連続した測定）を実施している。これは、複数の固体光源１１ａが全て発光したときの光量と明るい映像（白100%映像)に必要な光量との差分を予備光量とし、予備光量を以下の式が成り立つように設定しているからである。
【００８９】
予備光量≧光源Ｎｏ．１の光量＋光源Ｎｏ．２の光量＋光源Ｎｏ．３の光量
予備光量＜光源Ｎｏ．１の光量＋光源Ｎｏ．２の光量＋光源Ｎｏ．３の光量＋光源Ｎｏ．４の光量
フレーム＃３で光源Ｎｏ．３を測定した後、光源Ｎｏ．１〜光源Ｎｏ．３を安定的に発光させるため、フレーム＃４、フレーム＃５を温度安定期間とする。すなわち、フレーム＃４およびフレーム＃５では、測定対象光源の測定を行わない。フレーム＃６では、次の光源Ｎｏ．４の測定を行う。
【００９０】
光源制御例７では、光源制御部２４０が、測定対象光源を非発光とすることにより、非発光となるときの光量の違いから測定対象光源の光量を測定する。従って、温度依存性の高い固体光源１１ａであっても、複数の測定対象光源を連続して測定することができ、全ての光源の光量を測定する為に必要な時間を短縮することができる。
（変更例１）
変更例１では、光源制御例７と同様に、複数の固体光源１１ａのいずれかである測定対象光源のみが非発光となるタイミングが設けられている。光源制御部２４０は、１フレーム区間（所定期間）内において比率（Ｄｕｔｙ）を制御する。
【００９１】
但し、変更例１では、明るい映像（白100%映像）を表示するとき、複数の固体光源１１ａ全てを発光しなくてはならない場合を想定している。
【００９２】
光源制御例７では、予備光量が測定対象光源によって低下した光量以上であるときに、光量の測定を行った。変更例１では、複数の固体光源１１ａが全て発光したときの光量と光源制御部２４０で算出された１フレーム区間に必要な光量との差分を映像予備光量とし、映像予備光量が測定対象光源によって低下する光量以上であるときに、測定対象光源の光量測定を行う。
【００９３】
変更例１の具体的な制御方法を図１２-１及び図１２-２のフローチャートを用いて説明する。
【００９４】
まず、ステップ２０において、複数の固体光源１１ａの光量を同期して制御するため、映像制御フレームの切り替わりを示す垂直同期信号（VSYNC）を検出する。VSYNCを検出できなかった場合、再試行する（ステップ２０のＮＯ）。
【００９５】
VSYNCを検出できた場合（ステップ２０のＹＥＳ）、ステップ３０において、全発光時の光量L_allを取得するため、光源制御部２４０は全ての固体光源１１ａを発光させる。同時に、ユーザには、スクリーン上での光量の変化が視認されないようにするため、変調量制御部２２０は光変調素子３０を制御する。
【００９６】
ステップ４０において、光量センサ７０は全光量L_allを検出する。
【００９７】
ステップ５０において、連続して測定する複数の固体光源１１ａのうち最初に測定する光源Ｎｏを示す変数n（＝１）、測定対象光源とする光源Ｎｏを示す変数m（＝１）、光源Ｎｏ．ｍを非発光としたときの光量を示す変数L_now（＝０）及び温度安定期間をフレーム数で表した変数wait（＝０）をそれぞれ初期化する。
【００９８】
ステップ６０において、光源制御部２４０は、１フレーム区間に対応する映像入力信号に基づいて、１フレーム区間に必要な必要光量L_maxを算出する。
【００９９】
ステップ７０において、複数個の固体光源１１ａを非発光としたときに低下する低下光量Ｌ＿ｏｆｆを予測する。
【０１００】
例えば、光源Ｎｏ．１の固体光源１１ａを測定対象光源としたときに、光源Ｎｏ．１が非発光となることによる光量の低下量L(1)が、前回までの測定から予想される。加えて、光量センサの測定誤差及び光源の劣化等の光量低下量αを考慮すると、光源Ｎｏ．１を非発光としたときに低下すると予想される低下光量L_off(1)は、次式で示される。
【０１０１】
【数１】
0005399035.tif 000002

【０１０２】
式（１）より、固体光源１１ａのうち光源Ｎｏ．ｎ〜光源Ｎｏ．ｍを非発光としたときに低下すると予想される低下光量L_offは、次式で示される。
【０１０３】
【数２】
0005399035.tif 000003

【０１０４】
ステップ７０の後、ステップ８０において、後述するステップ１１０、ステップ１３０、ステップ１４０での光量の制御を同期させるため、再度、VSYNCを検出する。VSYNCを検出できなかった場合、再試行する（ステップ８０のＮＯ）。
【０１０５】
ステップ８０においてVSYNCを検出した後、非発光となっていた固体光源１１ａの温度安定期間である場合（ステップ９０のＮＯ）、正確な測定対象光源の測定ができない。従って、ステップ１１０において、複数の固体光源１１ａ全てを発光させ、ステップ３０と同様の処理を行う。
【０１０６】
ステップ１２０において、温度安定期間をフレーム数で表した変数waitを１減らし、ステップ６０へ戻る。
【０１０７】
ステップ８０においてVSYNCを検出した後、非発光となっていた固体光源１１ａの温度安定期間が経過している場合(ステップ９０のＹＥＳ)、ステップ１００へ移る。
【０１０８】
ステップ１００において、映像入力信号から算出される全光量L_allと必要光量L_maxとの差（L_all - L_max）、すなわち、１フレーム区間において低下させることが可能な許容光量と、低下光量L_offとを比較する。低下光量が許容光量よりも大きい場合（ステップ１００のＮＯ）、ステップ１４０へ移る。
【０１０９】
低下光量が許容光量よりも大きい場合（ステップ１００のＮＯ）、測定対象光源の測定ができない。従って、ステップ１４０において、固体光源１１ａを全て発光させ、ステップ３０と同様の処理を行う。
【０１１０】
ステップ１５０において、次の測定対象光源を測定するために、変数n（＝ｍ）、変数m（＝ｍ）、変数L_now（＝０）、変数wait（＝Ｗ）を代入し、ステップ６０へ戻る。
【０１１１】
低下光量が許容光量よりも小さい場合（ステップ１００のＹＥＳ）、ステップ１３０において、光源制御部２４０は光源Ｎｏ．ｍを非発光とすると共に、変調量制御部２２０は光変調素子３０を制御する。
【０１１２】
ステップ１６０において、劣化率算出部２５０は、変数L_nowを履歴光量L_bとして記憶する。
【０１１３】
ステップ１７０において、光源Ｎｏ．ｍを非発光としたときの、アレイ光源１０の現在の光量L_nowを光量センサ７０にて検出する。但し、光量センサ７０にて検出される現在の光量L_nowは、スクリーン上での光量の変化が視認されないように、変調量制御部２２０による制御が反映されている。従って、現在の光量L_nowは、変調量制御部２２０による制御を考慮して、補正することに留意すべきである。
【０１１４】
ステップ１８０において、連続して測定する複数の固体光源１１ａのうち、最初の測定対象光源か否かを判定する。すなわち、L_b = 0であるか否かを判定する。最初の測定対象光源である場合（ステップ１８０のＹＥＳ）、ステップ１９０へ移り、２つ目以降の測定対象光源である場合（ステップ１８０のＮＯ）、ステップ２００へ移る。
【０１１５】
最初の測定対象光源である場合（ステップ１８０のＹＥＳ）、ステップ１９０において、劣化率算出部２５０は、全光量L_allと現在の光量L_nowとの差を算出し、光源Ｎｏ．mの光量L(m)として記憶する。
【０１１６】
２つ目以降の測定対象光源である場合（ステップ１８０のＮＯ）、ステップ２００において、劣化率算出部２５０は、履歴光量L_bと現在の光量L_nowとの差を算出し、光源Ｎｏ．mの光量L(m)として記憶する。
【０１１７】
ステップ１９０若しくはステップ２００の後、ステップ２１０において、全ての固体光源１１ａを測定したか否かを判定する。すなわち、ｍ＝Ｎであるか否かを判定する。全ての複数の固体光源１１ａを測定した場合（ステップ２１０のＹＥＳ）、光量を測定する制御を終了する。全ての固体光源１１ａを測定していない場合（ステップ２１０のＮＯ）、ステップ２２０へ移る。
【０１１８】
ステップ２２０において、次の測定対象光源の測定を行うため、変数mに１を加算してステップ６０へ戻る。
【０１１９】
このように、映像予備光量が許容光量以下であるときに測定対象光源の光量測定を行うことにより、複数の固体光源１１ａを測定するのに要する時間を短縮することがきる。具体的には、複数の固体光源１１ａを全て発光させても、光源制御例７の予備光量に相当する光量が取れない場合に有効である。また、予備光量に相当する光量が取れる場合であっても、映像入力信号に応じて、さらに多くの光源を連続して測定することが可能である。
【０１２０】
尚、変更例１では、許容光量（L_all - L_max）と低下光量L_offとを比較し、次の光源の測定を開始しているが、シーンチェンジなど光量の変化が大きなときには、強制的に光量の測定を中止し、通常通りの光源を制御する手段を追加してもよい。
【０１２１】
変更例１では、光量の測定を予め決められた光源の番号順に測定したが、測定した固体光源１１ａの発光効率に基づいてソートし、その順に測定してもよい。
【０１２２】
変更例１では、光量低下量αについて特に言及していないが、固定値であってよく、または、
α = Gain × 非発光とする予定の光量の和（但し、0＜Gain＜1）
としてもよい。
【０１２３】
変更例1では、光量センサ７０が投写レンズユニット９０に設けられているものとして説明が、これに限定されるものではない。各アレイ光源１０と各光変調素子３０との間にそれぞれ設けても良い。この場合、ステップ１７０で得られるL_nowを補正する必要がなく、直接的に測定対象光源の測定が可能となる。
（変更例２）
変更例２では、アレイ光源１０を測定するための温度センサ７１を備えており、その温度センサ７１が測定する測定結果に基づいて光量センサ７０が検出する検出結果を補正するものである。
【０１２４】
図１３は、変更例２における構成を示したブロック図である。アレイ光源１０の温度を測定する温度センサ７１が備わり、温度センサ７１が測定した結果を劣化率算出部２５０へ伝える。
劣化率算出部２５０は、温度センサ７１からのデータに基づき光量センサ７０の測定結果に対して温度補正を行う。
【０１２５】
具体的な温度補正方法に関して図１４を参照しながら説明する。まず、複数ある固体光源１１ａの全ての光源に対して事前に温度特性（電力対光量の温度依存性）を取得しておき、温度特性補正関数として記憶しておく。それにより、図１４のように、特定の温度（測定温度）のときの測定光量から固体光源１１ａが通常駆動時の温度（基準温度）のときの光量が算出できる事となる。
【０１２６】
従って、固体光源１１ａが測定温度のとき、測定された測定対象光源の光量から温度特定補正関数を用いて補正させることにより算出される基準温度のときの光量（補正光量）が導かれる。そして、補正光量と基準光量の差分が測定対象光源の劣化量となる。
【０１２７】
このことにより、温度が安定するまでの温度安定期間を必要とせず、全ての複数の固体光源１１ａに要する時間が短縮できる。
【０１２８】
尚、図１４は、複数の固体光源１１ａの温度による出射光量の変化が線形性を有する場合を示しているが、非線形性を有している固体光源でもよく、温度特性補正関数ではなく温度特性補正テーブルとして記憶させておいても良いものとする。
（変更例３）
光源制御例７では、映像を投射させながら複数の固体光源１１ａを測定することを想定しているが変更例３では、投写型映像表示装置１００を起動時、終了時又は、起動時及び終了時に測定指令信号により複数の固体光源１１ａを測定することを想定している。
【０１２９】
起動時は、複数の固体光源１１ａの光量出力が安定していないため、光量出力を測定しておき、光量出力が安定するのを待ってから発せられる測定指令信号により測定対象光源の測定を開始する。
【０１３０】
このように、投写型映像表示装置１００の映像投写前若しくは後に光量測定を実行するため、必ずしも１フレーム期間内に一つの測定対象光源を測定する必要はなくなり、短い期間で精度良く光量が測定可能な高価な光量センサを用いなくても良くなる。そのためコストダウンをする事ができ、且つ起動時、終了時の固定されたタイミングで光量測定が可能である事から映像投写中に余計な割り込み処理を行う必要もなくなる。
【０１３１】
尚、変更例３では、光量測定タイミングを起動時、終了時又は、起動時及び終了時に発せられる測定指令信号により光量測定を行ったが、それに限るものではなく例えばユーザが指定したタイミングで光量測定ができるように測定ボタンを設置しておき、測定ボタンが押されたときに発せられる測定指令信号により光量測定を行うようにしても良い。
（変更例４）
変更例４では、複数の固体光源１１ａの光量を測定するタイミングの指標として複数の固体光源１１ａ全体の光量の劣化量がある閾値を越えたとき、複数の固体光源１１ａの光量を測定する。
【０１３２】
図１５は、変更例４にかかる、経時変化に対して複数の固体光源１１ａ全体の光量変化を示した図である。複数の固体光源１１ａが発光し始めてから投写映像が移り変わっていくと、その時々のフレーム映像に必要な光量が変わる。それを示しているのが図１５の点線で示されている目標光量の増減である。また、経時変化により複数の固体光源１１ａ全体の光量が劣化しないと仮定するならば、目標光量と実際の測定光量がほぼ一致する。しかし、実際は経時変化により複数の固体光源１１ａ全体の光量は徐々に劣化してくるため、目標光量と図１５の実線で示した測定光量とに差が生じてくる。
【０１３３】
これら目標光量と測定光量の差分がある閾値以上となったときは、複数の固体光源１１ａの何れかが劣化していることが考えられるため、複数の固体光源１１ａの測定を開始する。
【０１３４】
また、複数の固体光源１１ａ全体の光量を測定する測定間隔は、１フレーム期間に比べて非常に長くて良く、用いている固体光源の経時劣化の速さによって決められるが、経時劣化の遅い固体光源であれば、例えば１時間間隔で行う事ができる。
【０１３５】
このように、複数の固体光源１１ａ全体の光量の劣化量がある閾値を越えたときに複数の固体光源１１ａの光量を測定することにより、実際に光量の劣化が問題になった時点で測定することになるため、無駄な測定を避けることができ、消費電力の低減が効果的におこなえる。
【０１３６】
尚、変更例４では、目標光量と測定光量の差分がある閾値以上であるときに複数の固体光源１１ａの光量測定を行ったが、それに限るものではなく例えば目標消費電力と測定消費電力の差分を指標としても良く、このようにすることにより、消費電力効率に関して必要以上に悪化させる事を防ぐことができる。
【０１３７】
上述した光源制御例１〜光源制御例６では、光源制御部２４０は、複数の固体光源１１が発する総光量が必要光量となるように、各固体光源１１の発光期間を制御するが、これに限定されるものではない。
【０１３８】
例えば、光源制御部２４０は、複数の固体光源１１が発する総光量が必要光量となるように、各固体光源１１に供給される電力を制御してもよい。光源制御部２４０は、対応関係記憶部２３０に記憶された対応関係に基づいて、各固体光源１１に供給される電力を制御する。
【０１３９】
例えば、光源制御部２４０は、総光量が必要光量よりも小さい場合には、複数の固体光源１１のうち、最も発光効率が高い固体光源１１を優先して、固体光源１１に供給される電力を増大させる。なお、供給電力が上限（最大定格）に達している固体光源１１は、発光効率が高くても、供給電力を増大させる固体光源１１の対象から外されることに留意すべきである。一方で、光源制御部２４０は、総光量が必要光量よりも大きい場合には、複数の固体光源１１のうち、最も発光効率が低い固体光源１１を優先して、固体光源１１に供給される電力を減少させる。
【０１４０】
劣化率算出部２５０は、光量センサ７０によって検出される光量から、複数の固体光源１１のいずれかである測定対象光源の光量を取得する。具体的には、劣化率算出部２５０は、上述した光源制御例１〜光源制御例６などによって、測定対象光源の光量のみを取得可能である。
【０１４１】
続いて、劣化率算出部２５０は、光量センサ７０によって検出される光量から取得された測定対象光源の光量（以下、取得光量）を取得する。劣化率算出部２５０は、取得光量に基づいて、測定対象光源の劣化率を算出する。
【０１４２】
具体的には、劣化率算出部２５０は、対応関係記憶部２３０に記憶された測定対象光源の対応関係を参照して、測定対象光源に現在供給されている電力に対応する光量（基準光量）を取得する。続いて、劣化率算出部２５０は、取得光量と基準光量とを比較して、測定対象光源の劣化率（取得光量／基準光量）を算出する。
【０１４３】
劣化率算出部２５０は、測定対象光源の劣化率に応じて、対応関係記憶部２３０に記憶された測定対象光源の対応関係を示す曲線Ｌを更新する。具体的には、劣化率算出部２５０は、測定対象光源が劣化している場合には、測定対象光源の対応関係を示す曲線Ｌを下方に更新する。すなわち、劣化率算出部２５０は、測定対象光源の発光効率を低下させるように、測定対象光源の対応関係を示す曲線Ｌを更新する。
（投写型映像表示装置の動作）
以下において、第１実施形態に係る投写型映像表示装置の動作について、図面を参照しながら説明する。図１６及び図１７は、第１実施形態に係る投写型映像表示装置１００の動作を示すフロー図である。
【０１４４】
最初に、投写型映像表示装置１００が測定対象光源の光量を取得する動作について、図１６を参照しながら説明する。
【０１４５】
図１６に示すように、ステップ１０において、投写型映像表示装置１００は、フレーム＃ｎに対応する映像入力信号に基づいて、フレーム＃ｎにおいて必要な必要光量を算出する。
【０１４６】
ステップ１１において、投写型映像表示装置１００は、複数の固体光源１１が発する総光量が必要光量となるように、複数の固体光源１１が光を発する期間（発光期間）を制御する。なお、発光期間の制御は、上述したように、Ｄｕｔｙ制御であっても、パワー制御であってもよい。
【０１４７】
ステップ１２において、投写型映像表示装置１００は、複数の固体光源１１が発する光量を光量センサ７０によって検出する。続いて、投写型映像表示装置１００は、測定対象光源が発する光量を取得する。
【０１４８】
ステップ１３において、投写型映像表示装置１００は、ステップ１２で取得された測定対象光源の光量に基づいて、測定対象光源の劣化率を算出する。
【０１４９】
ステップ１４において、投写型映像表示装置１００は、測定対象光源の劣化率に応じて、対応関係記憶部２３０に記憶された測定対象光源の対応関係を更新する。
【０１５０】
ステップ１５において、投写型映像表示装置１００は、全ての固体光源１１について光量を取得したか否かを判定する。投写型映像表示装置１００は、全ての固体光源１１について光量を取得したと判定した場合には、一連の処理を終了する。一方で、投写型映像表示装置１００は、全ての固体光源１１について光量を取得していないと判定した場合には、ステップ１０の処理に戻る。なお、投写型映像表示装置１００は、ステップ１０の処理に戻った際に、フレーム＃ｎ＋１における発光期間の制御に移るとともに、測定対象光源を切り替えることは勿論である。
【０１５１】
次に、投写型映像表示装置１００が固体光源１１に供給される電力を制御する動作について、図１７を参照しながら説明する。なお、図１７に示す処理は、上述したステップ１１の処理（発光期間の制御）に代えて行われてもよく、上述したステップ１１の処理（発光期間の制御）と並列で行われてもよい。
【０１５２】
図１７に示すように、ステップ２０において、投写型映像表示装置１００は、複数の固体光源１１が発する総光量がフレーム＃ｎにおいて必要な必要光量よりも小さいか否かを判定する。投写型映像表示装置１００は、総光量が必要光量よりも小さい場合には、ステップ２１の処理に移る。一方で、投写型映像表示装置１００は、総光量が必要光量以上である場合には、ステップ２３の処理に移る。
【０１５３】
ステップ２１において、投写型映像表示装置１００は、対応関係記憶部２３０を参照して、最も発光効率が高い固体光源１１を選択する。ステップ２１では、図３に示したように、各固体光源１１に現在供給されている電力が考慮される。
【０１５４】
ステップ２２において、投写型映像表示装置１００は、総光量が必要光量まで増大するように、ステップ２１で選択された固体光源１１に供給される電力を増大させる。
【０１５５】
ステップ２３において、投写型映像表示装置１００は、対応関係記憶部２３０を参照して、最も発光効率が低い固体光源１１を選択する。ステップ２３では、図３に示したように、各固体光源１１に現在供給されている電力が考慮される。
【０１５６】
ステップ２４において、投写型映像表示装置１００は、総光量が必要光量まで減少するように、ステップ２３で選択された固体光源１１に供給される電力を減少させる。
（作用及び効果）
第１実施形態では、光源制御部２４０は、劣化率算出部２５０が測定対象光源の光量を取得するように、複数の固体光源１１が光を発する期間である発光期間を固体光源１１単位で制御する。従って、複数の固体光源１１がアレイ状に配置されている場合であっても、各固体光源１１が発する光量を検出することができる。
【０１５７】
第１実施形態では、光源制御部２４０は、複数の固体光源１１が発する総光量を増大させる場合に、対応関係記憶部２３０を参照して、発光効率が高い固体光源１１に供給される電力を優先的に増大させる。一方で、光源制御部２４０は、複数の固体光源１１が発する総光量を減少させる場合に、対応関係記憶部２３０を参照して、発光効率が低い固体光源１１に供給される電力を優先的に減少させる。
【０１５８】
従って、複数の固体光源１１の消費電力の浪費を抑制しながら、複数の固体光源１１が発する総光量を制御することができる。
［第２実施形態］
以下において、第２実施形態について図面を参照しながら説明する。以下においては、上述した第１実施形態と第２実施形態との相違点について主として説明する。
【０１５９】
具体的には、上述した第１実施形態では、光量センサ７０は、投写レンズユニット９０に設けられている。これに対して、第２実施形態では、光量センサ７０は、クロスダイクロイックプリズム５０に設けられている。
（投写型映像表示装置の構成）
以下において、第２実施形態に係る投写型映像表示装置の構成について、図面を参照しながら説明する。図１８は、第２実施形態に係る投写型映像表示装置１００の構成を示す概略図である。図１８では、図１と同様の構成について同様の符号を付していることに留意すべきである。
【０１６０】
図１８に示すように、光量センサ７０は、クロスダイクロイックプリズム５０に設けられている。なお、光量センサ７０は、第１実施形態と同様に、クロスダイクロイックプリズム５０で合成された合成光の有効利用範囲外に設けられていることが好ましい。
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１６１】
上述した実施形態では、投写型映像表示装置１００は、複数の固体光源１１が発する総光量を増大させる場合に、対応関係記憶部２３０を参照して、最も発光効率が高い固体光源１１を選択するが、これに限定されるものではない。具体的には、投写型映像表示装置１００は、発光効率が高い順に複数の固体光源１１を選択してもよい。なお、投写型映像表示装置１００は、複数の固体光源１１の総消費電力が減少するように、電力を増大させる固体光源１１を選択することが好ましい。
【０１６２】
同様に、投写型映像表示装置１００は、複数の固体光源１１が発する総光量を減少させる場合に、対応関係記憶部２３０を参照して、最も発光効率が低い固体光源１１を選択するが、これに限定されるものではない。具体的には、投写型映像表示装置１００は、発光効率が低い順に複数の固体光源１１を選択してもよい。なお、投写型映像表示装置１００は、複数の固体光源１１の総消費電力が減少するように、電力を減少させる固体光源１１を選択することが好ましい。
【０１６３】
上述した実施形態では特に触れていないが、固体光源１１の配置位置に応じて、光量センサ７０によって検出される固体光源１１の光量が異なる点について考慮されてもよい。
【０１６４】
上述した実施形態では、光量センサ７０は、赤色成分光、緑色成分光及び青色成分光が合成された合成光の光量を検出するが、これに限定されるものではない。具体的には、光量センサ７０は、赤色成分光、緑色成分光及び青色成分光を個別に検出するように構成されていてもよい。この場合には、光源制御部２４０は、アレイ光源１０Ｒに設けられた固体光源１１Ｒ、アレイ光源１０Ｇに設けられた固体光源１１Ｇ及びアレイ光源１０Ｂに設けられた固定光源１１Ｂを同時に制御してもよい。
【０１６５】
上述した実施形態では、光量センサ７０は、クロスダイクロイックプリズム５０又は投写レンズユニット９０に設けられているが、これに限定されるものではない。具体的には、光量センサ７０は、映像が投写されるスクリーンのオーバースキャン部に設けられていてもよい。
【０１６６】
上述した実施形態では、単数の光量センサ７０が設けられているが、これに限定されるものではない。具体的には、各アレイ光源１０（アレイ光源１０Ｒ、アレイ光源１０Ｇ及びアレイ光源１０Ｂ）毎に、１つずつ光量センサ７０が設けられていてもよい。この場合には、各光量センサ７０は、各アレイ光源１０が発する光の光路上にそれぞれ設けられる。
【０１６７】
上述した実施形態では特に触れていないが、劣化率が所定値を超えた固体光源１１をユーザに通知することによって、劣化率が所定値を超えた固体光源１１の交換を促してもよい。
【０１６８】
上述した実施形態では特に触れていないが、アレイ光源１０が発する光を均一化する光学素子（フライアイレンズやテーパロッド）が設けられていることが好ましい。これによって、アレイ光源１０を構成する全ての固体光源１１が発する光が確実に光量センサ７０に到達するため、固体光源１１の劣化を確実に検出することができる。
【０１６９】
上述した光源制御例１〜光源制御例６では、発光期間と非発光期間との制御が１フレーム区間単位で行われるが、これに限定されるものではない。具体的には、発光期間と非発光期間との制御は、複数フレーム区間単位で行われてもよい。
【０１７０】
上述した実施形態では特に触れていないが、光量センサ７０が光量を検出するタイミング（１フレーム区間内における検出期間の位置）は、光源制御部２４０による固体光源１１の光量制御に応じて変更されてもよい。例えば、パワー制御によって測定対象光源のみが発光する期間が１フレーム区間のいずれかに設けられるケースにおいて、光量センサ７０が光量を検出するタイミングが測定対象光源の発光期間と揃えられてもよい。
【０１７１】
上述した実施形態では、光量センサ７０は、複数の固体光源１１が発する光の光路上に設けられているが、これに限定されるものではない。具体的には、光量センサ７０は、複数の固体光源１１が発する光の漏れ光を検出可能な位置に設けられていてもよい。
【０１７２】
上述した実施形態では特に明示していないが、固体光源１１は、基本的に、電流によって駆動される。但し、これに限定されるものではなく、固体光源１１は、電圧によって駆動されてもよい。
【図面の簡単な説明】
【０１７３】
【図１】第１実施形態に係る投写型映像表示装置１００の構成を示す概略図である。
【図２】第１実施形態に係る制御ユニット２００の構成を示すブロック図である。
【図３】第１実施形態に係る対応関係記憶部２３０に記憶された情報の一例を示す図である。
【図１０】第1実施形態に係る複数の固体光源１１の発光及び非発光における光量の安定期間を示した図
【図４】第１実施形態に係る光源制御例１を説明するための図である。
【図５】第１実施形態に係る光源制御例２を説明するための図である。
【図６】第１実施形態に係る光源制御例３を説明するための図である。
【図７】第１実施形態に係る光源制御例４を説明するための図である。
【図８】第１実施形態に係る光源制御例５を説明するための図である。
【図９】第１実施形態に係る光源制御例６を説明するための図である。
【図１１】第１実施形態に係る光源制御例７を説明するための図である。
【図１２−１】第１実施形態の変更例１に係る制御方法を示す図である。
【図１２−２】第１実施形態の変更例１に係る制御方法を示す図である。
【図１３】第１実施形態の変更例２に係る制御ユニット２００の構成を示すブロック図である。
【図１４】第１実施形態の変更例２に係る温度補正方法を示す図である。
【図１５】第１実施形態の変更例４にかかる、時間経過に対して複数の固体光源１１全体の光量変化を示した図である。
【図１６】第１実施形態に係る投写型映像表示装置１００の動作を示すフロー図である。
【図１７】第１実施形態に係る投写型映像表示装置１００の動作を示すフロー図である。
【図１８】第２実施形態に係る投写型映像表示装置１００の構成を示す概略図である。
【符号の説明】
【０１７４】
１０・・・アレイ光源、１１・・・固体光源、３０・・・光変調素子、５０・・・クロスダイクロイックプリズム、５１・・・ダイクロイック膜、５２・・・ダイクロイック膜、７０・・・光量センサ、９０・・・投写レンズユニット、１００・・・投写型映像表示装置、２００・・・制御ユニット、２１０・・・映像信号入力部、２２０・・・変調量制御部、２３０・・・対応関係記憶部、２４０・・・光源制御部、２５０・・・劣化率算出部
【図１】
0005399035.tif 000004
【図２】
0005399035.tif 000005
【図３】
0005399035.tif 000006
【図４】
0005399035.tif 000007
【図５】
0005399035.tif 000008
【図６】
0005399035.tif 000009
【図７】
0005399035.tif 000010
【図８】
0005399035.tif 000011
【図９】
0005399035.tif 000012
【図１０】
0005399035.tif 000013
【図１１】
0005399035.tif 000014
【図１２−１】
0005399035.tif 000015
【図１２−２】
0005399035.tif 000016
【図１３】
0005399035.tif 000017
【図１４】
0005399035.tif 000018
【図１５】
0005399035.tif 000019
【図１６】
0005399035.tif 000020
【図１７】
0005399035.tif 000021
【図１８】
0005399035.tif 000022